(57)【要約】      （修正有）【課題】ペット用の鳥が使用する備品の配設位置を容易に変更することができ、種々の鳥ケージに広く適用できる鳥ケージ用の備品を提供する。【解決手段】鳥ケージ内に収納されるペット用の鳥によって使用される止まり木Ｔが、ベース部１１を有して鳥ケージ内に配設される本体部材１０と、鳥ケージの外部に位置される固定部材２０とを有する。固定部材とベース部のいずれか一方に永久磁石が設けられ、他方に磁性部材が設けられる。ベース部と固定部材を近接態で対向させた際に、ベース部と固定部材が永久磁石の磁力によって互いに吸着されて、本体部材が鳥ケージに固定される。【選択図】図４
0003217045.tif 000002
【実用新案登録請求の範囲】
【請求項１】
鳥ケージ内に収納されるペット用の鳥によって使用される鳥ケージ用の備品であって、
ベース部を有して、前記鳥ケージ内に配設される本体部材と、
前記本体部材とは別体とされ、前記鳥ケージの外部に位置された状態で前記ベース部に対向させて使用される固定部材と、
を有し、
前記固定部材と前記ベース部とのいずれか一方に第１永久磁石が設けられると共に、他方に該永久磁石が吸着される磁性部材が設けられ、
前記鳥ケージ内に配設された前記本体部材の前記ベース部と該鳥ケージの外部に配設された前記固定部材とを近接態で対向させた際に、該ベース部と該固定部材とが前記第１永久磁石の磁力によって互いに吸着されて、該本体部材が該鳥ケージに固定される、
ことを特徴とする鳥ケージ用の備品。
【請求項２】
請求項１において、
前記磁性部材が、第２永久磁石とされている、ことを特徴とする鳥ケージ用の備品。
【請求項３】
請求項２において、
前記固定部材のうち前記ベース部に対して対向される第１対向面に第１凹部が形成され、
前記ベース部のうち前記固定部材に対して対向される第２対向面に第２凹部が形成され、
前記第１永久磁石と前記第２永久磁石との一方が、前記第１対向面から突出しない状態で前記第１凹部内に固定配置され、
前記第１永久磁石と前記第２永久磁石との他方が、前記第２対向面から突出しない状態で前記第２凹部内に固定配置されている、
ことを特徴とする鳥ケージ用の備品。
【請求項４】
請求項１ないし請求項３のいずれか１項において、
前記本体部材と前記個体部材とが、それぞれ自然木によって形成されている、ことを特徴とする鳥ケージ用の備品。
【請求項５】
請求項１ないし請求項４のいずれか１項において、
前記本体部材が、止まり木とされている、ことを特徴とする鳥ケージ用の備品。
【請求項６】
請求項５において、
前記止まり木が、前記ベース部から略直立状態で延びる縦棒部と、該縦棒部の先端部に固定された横方向に延びる横棒部と、を有し、
前記ベース部の前記鳥ケージに対する固定時での姿勢状態の選択によって、前記横棒部が該鳥ケージの底面に対して略平行な状態をとり得るようにされている、
ことを特徴とする鳥ケージ用の備品。
【請求項７】
請求項１ないし請求項４のいずれか１項において、
前記本体部材が、給餌用具とされている、ことを特徴とする鳥ケージ用の備品。
【請求項８】
請求項１ないし請求項７のいずれか１項において、
前記鳥ケージが、収納されたペット用の鳥を外部から観賞するための観賞用鳥かごとされている、ことを特徴とする鳥ケージ用の備品。
【請求項９】
請求項１ないし請求項７のいずれか１項において、
前記鳥ケージが、ペット用の鳥を搬送するための搬送用ケースとされている、ことを特徴とする鳥ケージ用の備品。
【請求項１０】
鳥ケージと止まり木とのセット体であって、
前記鳥ケージが、収納されたペット用の鳥を外部から観賞するための観賞用鳥かごと、ペット用の鳥を搬送するための搬送用ケースとの２種類とされ、
前記止まり木が、ベース部を有して前記鳥ケージ内に配設される本体部材と、該鳥ケージの外部に配設される固定部材と、を有し、
前記固定部材と前記ベース部とのいずれか一方に永久磁石が設けられると共に、他方に該永久磁石が吸着される磁性部材が設けられ、
前記鳥ケージ内に配設された前記本体部材の前記ベース部と該鳥ケージの外部に配設された前記固定部材とを近接態で対向させた際に、該ベース部と該固定部材とが前記永久磁石の磁力によって互いに吸着されて、該本体部材が該鳥ケージに固定される、
ことを特徴とする鳥ケージと止まり木とのセット体。
【請求項１１】
請求項１０において、
前記止まり木が、前記ベース部から略直立状態で延びる縦棒部と、該縦棒部の先端部に固定された横方向に延びる横棒部と、を有し、
前記ベース部の前記鳥ケージに対する固定時での姿勢状態の選択によって、前記横棒部が該鳥ケージの底面に対して略平行な状態をとり得るようにされている、
ことを特徴とする鳥ケージと止まり木とのセット体。
【考案の詳細な説明】
【技術分野】
【０００１】
本考案は、鳥ケージ用の備品および鳥ケージと止まり木とのセット体に関するものである。
【背景技術】
【０００２】
愛好家によって飼育されるペット用鳥は、観賞用の鳥かご内に収納されて、外部から観賞されるのが一般的である。鳥かご内には、例えば止まりや給餌部材（給水部材を含む）等、鳥によって使用される各種備品が装備される。
【０００３】
特許文献１には、止まり木の表面にやすり部位を構成して、止まり木に鳥が止まった際に、鳥の爪が自動的に研磨されるようにしたものが開示されている。
【先行技術文献】
【特許文献】
【０００４】
【特許文献１】特開２００５−２７００４７号公報
【考案の概要】
【考案が解決しようとする課題】
【０００５】
ところで、鳥かご内に配設される各種備品においては、鳥かごの外殻を構成している部位の所定位置に対して、例えば針金等によって固定されることが多い。この一方、鳥かご内での備品の配設位置を変更したいという要求がある。この場合、備品の固定解除の作業とその後の再度の固定作業とがかなり面倒である。
【０００６】
一方、鳥を移送する際に、搬送ケースを利用することも一般的に行われている。この場合、搬送ケース内で鳥が安定かつ安心して搬送されるようにすることが重要となる。このため、搬送ケース内に、止まり木を配設することも考えられるが、ペット用の鳥は、慣れ親しんだ止まり木にしか止まらないという習性を有するものが多い。
【０００７】
このため、鳥かご内の鳥を搬送ケースに入れて搬送する場合、鳥かご内に配設されている止まり木を搬送ケースに移して使用することが考えられる。この場合、前述したように、鳥かごから止まり木の固定解除を行ったのち、固定解除された止まり木を搬送ケースに固定するという作業が要求されるが、この固定解除と固定とを行う作業が面倒である。これにえて、搬送ケースが、例えばプラスチックのような箱体であるときに、針金等を利用して止まり木を搬送ケースに固定することが不可能な場合もある。
【０００８】
本考案は以上のような事情を勘案してなされたもので、その第１の目的は、ペット用の鳥が使用する備品の配設位置を容易に変更することができ、また鳥ケージとして種々の形態のものに対して広く適用できるようにした鳥ケージ用の備品を提供することにある。
【０００９】
本考案の第２の目的は、鳥用の備品としての止まり木を、観賞用の鳥かごと搬送用のケースとの間で簡単に位置変更できるようにした鳥ケージと止まり木とのセット体を提供することにある。
【課題を解決するための手段】
【００１０】
前記第１の目的を達成するため、本考案にあっては次のような解決手法を採択してある。すなわち、実用新案登録請求の範囲における請求項１に記載のように、
鳥ケージ内に収納されるペット用の鳥によって使用される鳥ケージ用の備品であって、
ベース部を有して、前記鳥ケージ内に配設される本体部材と、
前記本体部材とは別体とされ、前記鳥ケージの外部に位置された状態で前記ベース部に対向させて使用される固定部材と、
を有し、
前記固定部材と前記ベース部とのいずれか一方に第１永久磁石が設けられると共に、他方に該永久磁石が吸着される磁性部材が設けられ、
前記鳥ケージ内に配設された前記本体部材の前記ベース部と該鳥ケージの外部に配設された前記固定部材とを近接態で対向させた際に、該ベース部と該固定部材とが前記第１永久磁石の磁力によって互いに吸着されて、該本体部材が該鳥ケージに固定される、
ようにしてある。
【００１１】
上記解決手法によれば、本体部材を、永久磁石の磁力を利用して鳥ケージに着脱自在に固定することから、その配置位置の変更等を容易に行うことができる。また、使用する鳥ケージ間で容易に移動させて使用することができる。さらに、永久磁石の磁力の範囲であれば、適宜の形状や材質の鳥ケージに対しても広く使用することができ、汎用性の極めて高いものとなる。
【００１２】
上記解決手法を前提とした好ましい態様は、請求項２〜請求項９に記載のとおりである。すなわち、
前記磁性部材が、第２永久磁石とされている、ようにしてある（請求項２対応）。この場合、本体部材側と固定部材側との両方に永久磁石を用いることにより、強固な固定作用を得ることができ、備品をしっかりと鳥ケージに固定する上で好ましいものとなる。
【００１３】
前記固定部材のうち前記ベース部に対して対向される第１対向面に第１凹部が形成され、
前記ベース部のうち前記固定部材に対して対向される第２対向面に第２凹部が形成され、
前記第１永久磁石と前記第２永久磁石との一方が、前記第１対向面から突出しない状態で前記第１凹部内に固定配置され、
前記第１永久磁石と前記第２永久磁石との他方が、前記第２対向面から突出しない状態で前記第２凹部内に固定配置されている、
ようにしてある（請求項３対応）。この場合、鳥ケージへの取付完了状態では永久磁石が外部から目視されないようにして、外観上の見栄え向上等の上で好ましいものとなる。また、本体部材と固定部材とを分離した取付解除状態において、永久磁石が外部に突出しないようにして、永久磁石が外力を受けて不用意に取り外されてしまうという事態を防止する上でも好ましいものとなる。
【００１４】
前記本体部材と前記個体部材とが、それぞれ自然木によって形成されている、ようにしてある（請求項４対応）。この場合、自然環境にある材料を用いて、鳥に対して優しい環境作りの上で好ましいものとなる。
【００１５】
前記本体部材が、止まり木とされている、ようにしてある（請求項５対応）。この場合、止まり木について、前述した効果を得ることができる。特に、止まり木は、鳥が使用する備品として汎用品であることを考慮すると、その効果が大きいものである。
【００１６】
前記止まり木が、前記ベース部から略直立状態で延びる縦棒部と、該縦棒部の先端部に固定された横方向に延びる横棒部と、を有し、
前記ベース部の前記鳥ケージに対する固定時での姿勢状態の選択によって、前記横棒部が該鳥ケージの底面に対して略平行な状態をとり得るようにされている、
ようにしてある（請求項６対応）。この場合、本体部材（特に横棒部）を鳥ケージの低い位置に設置することが可能となり、特に高さの低い鳥ケージにおいて止まり木を設置する上で好ましいものとなる。
【００１７】
前記本体部材が、給餌用具とされている、ようにしてある（請求項７対応）。この場合、
給餌具について、前述した効果を得ることができる。特に、給餌具は、鳥が使用する備品として汎用品であることを考慮すると、その効果が大きいものである。
【００１８】
前記鳥ケージが、収納されたペット用の鳥を外部から観賞するための観賞用鳥かごとされている、ようにしてある（請求項８対応）。この場合、観賞用鳥かごの場合に、備品としての本体部材を着脱自在に固定する上で好ましいものとなる。
【００１９】
前記鳥ケージが、ペット用の鳥を搬送するための搬送用ケースとされている、ようにしてある（請求項９対応）。この場合、搬送ケースの場合に、備品としての本体部材を着脱自在に固定する上で好ましいものとなる。
【００２０】
前記第２の目的を達成するため、本考案にあっては次のような解決手法を採択してある。すなわち、請求項１０に記載のように、
鳥ケージと止まり木とのセット体であって、
前記鳥ケージが、収納されたペット用の鳥を外部から観賞するための観賞用鳥かごと、ペット用の鳥を搬送するための搬送用ケースとの２種類とされ、
前記止まり木が、ベース部を有して前記鳥ケージ内に配設される本体部材と、該鳥ケージの外部に配設される固定部材と、を有し、
前記固定部材と前記ベース部とのいずれか一方に永久磁石が設けられると共に、他方に該永久磁石が吸着される磁性部材が設けられ、
前記鳥ケージ内に配設された前記本体部材の前記ベース部と該鳥ケージの外部に配設された前記固定部材とを近接態で対向させた際に、該ベース部と該固定部材とが前記永久磁石の磁力によって互いに吸着されて、該本体部材が該鳥ケージに固定される、
ようにしてある。
【００２１】
上記解決手法によれば、請求項１に対応した効果を得ることができ、特に、止まり木を、観賞用鳥かごと搬送ケースとの間で移動させて使用するのを容易に行うことができる。また、観賞用鳥かごで使用されることにより、鳥が慣れ親しんだ止まり木を、そのまま搬送ケースに移動して使用することにより、搬送ケース内の鳥が安心して即座に止まり木に止まって、鳥を安心かつ安定させた状態で搬送する上で好ましいものとなる。
【００２２】
上記解決手法を前提とした好ましい態様は、請求項１１に記載のとおりである。すなわち、
前記止まり木が、前記ベース部から略直立状態で延びる縦棒部と、該縦棒部の先端部に固定された横方向に延びる横棒部と、を有し、
前記ベース部の前記鳥ケージに対する固定時での姿勢状態の選択によって、前記横棒部が該鳥ケージの底面に対して略平行な状態をとり得るようにされている、
ようにしてある（請求項１１対応）。この場合、本体部材（特に横棒部）を低い位置に設置する上で好ましいものとなる。特に、高さの低い搬送ケースにおいて、本体部材（特に横棒部）を極力低い位置に設置する上で好ましいものとなる。
【考案の効果】
【００２３】
本考案によれば、
【図面の簡単な説明】
【００２４】
【図１】本考案による止まり木の一例を示す平面図。
【図２】図１の要部断面図。
【図３】図１に示す止まり木における本体部材と固定部材との各対向面を示す斜視図。
【図４】図１に示す止まり木を、観賞用の鳥かごに設置した例を示す要部斜視図。
【図５】図１に示す止まり木を、搬送用ケースに設置した例を示す斜視図。
【図６】図１に示す止まり木に設置される餌箱の一例を示す斜視図。
【図７】本考案の別の実施形態を示すもので、給餌用具の例を示す斜視図。
【考案を実施するための形態】
【００２５】
図１は、本考案の一実施形態を示すもので、ペット用の鳥が使用する鳥の備品として止まり木Ｔとした例を示す。図１において、１０は本体部材、２０は固定部材である。
【００２６】
本体部材１０は、ベース部１１と、２本の縦棒部１２と、２本の縦棒部１２の先端部同士を連結する横棒部１３と、を有する。ベース部１１は、縦棒部１２とは反対側の面が略平坦面とされた対向面１１ａとされている。このベース部１１には、対向面１１ａに開口するように複数（実施形態では２個）の取付凹部１１ｂが形成されている。この取付凹部１１ｂに、第１永久磁石１４が収納、固定されている。第１永久磁石１４は、対向面１１ａとほぼ面一となるようにされている。第１２永久磁石１４は、接着材を利用してベース部１１に固定されているが、きつい嵌合によって固定状態を確保するのが好ましい。
【００２７】
縦棒部１２は、その基端部が、ベース部１１に固定されている。この固定は、例えば、ベース部１１に形成された取付穴内に、縦棒部１２の基端部をきつく嵌合させることにより行われている。ベース部１１と縦棒部１２との固定は、接着材や釘、ボルト等の固定具を用いた固定とすることもできるが、鳥に対して極力良好な環境を確保するために、接着材や金属製の固定具を用いない固定が好ましい。
【００２８】
２本の縦棒部１２は、互いに略平行に配設されて、ベース部１１における対向面１１ａに対して略直交するように延びている。この２本の縦棒部１２の先端部に対して、横方向に細長く延びる１本の横棒部１３が固定されている。この固定は、横棒部１３に形成された取付穴内に、縦棒部１２の先端部をきつく嵌合させることにより行われている。なお、横棒部１３と縦棒部１２との固定は、接着材や釘、ボルト等の固定具を用いた固定とすることもできるが、鳥に対して極力良好な環境を確保するために、接着材や金属製の固定具を用いない固定が好ましい。
【００２９】
前述したような本体部材１０は、ベース部１１と縦棒部１２と横棒部１３とが、それぞれ自然木によって形成されている。
【００３０】
前記固定部材２０は、自然木によって、略平板状に形成されている。この固定部材２０は、その一面が略平坦面状とされた対向面２０ａとされている。固定部材２０には、対向２０ａに開口するように、取付凹部２０ｂが形成されている。この取付凹部２０ｂに、第２永久磁石２１が収納、固定されている。第２永久磁石２１は、対向面２０ａとほぼ面一となるようにされている。第２永久磁石２１は、接着材を利用して固定部材２０に固定されているが、きつい嵌合によって固定状態を確保するのが好ましい。
【００３１】
ベース部１１の対向面１１ａに対して、固定部材２０の対向面２０ａを対向させた状態で、第１永久磁石１４と第２永久磁石２１とが互いに対向される。互いに対向された第１永久磁石１４と第２永久磁石２１とは、対向する側の極性が、一方がマイナス極とされ、他方がプラス極とされて、互いに磁力によって吸着する関係とされる。
【００３２】
図４は、鳥ケージとしての観賞用の鳥かごＰ１の一例を示し、この鳥かごＰ１に対して、前述した止まり木Ｔが固定設置されている。図４においては、ペット用の鳥Ｂが、横棒部１３に止まっている状態が示されるが、縦棒部１２に止まることもある。ペット用の鳥Ｂとしては、例えば、各種のインコ、ブンチョウ、ジュウシマツ等の小鳥の他、オウム等の中型鳥等、鳥ケージを利用してペットとして飼育されていた各種の鳥とすることができる。
【００３３】
観賞用の鳥かごＰ１は、その外殻が、例えば、互いに小間隔をあけて縦方向に延びる多数本の縦棒３１と、横方向に延びて多数本の縦棒３１同士を連結する複数本の横棒３２と、皿状の底壁部材３３と、を有している。鳥かごＰ１は、その内部に収納されたペット用の鳥Ｂを外部から観賞できるようにされている。勿論、鳥かごＰ１は、天井部（図示略）も有して、内部の鳥Ｂが鳥かごＰ１から脱出できないようにされている。また、鳥Ｂは、図示を略す開閉扉を通して、鳥かごＰ１から出し入れされる。なお、図４は、鳥かごＰ１の一例を示すもので、その構造、形状等は、適宜のもの、特に従来既知の適宜のものを用いることができる。
【００３４】
鳥かごＰ１に対する止まり木Ｔの固定設置は、次のようにして行われる。まず、本体部材１０を、鳥かごＰ１内にその開閉扉（図示略）を通して収納して、本体部材１０におけるベース部１１の対向面１１ａを鳥かごＰ１の側面部に接近させた状態とする。この一方、固定部材２０を、鳥かごＰ１の外部から、その対向面２０ａをベースＢ１１の対向面１１ａに向けて接近させる。対向面１１ａと２０ａとの接近により、第１永久磁石１４と第２永久磁石２１との吸着によって、ベース部１１と固定部材２０とが互いに一体化された状態となる。すなわち、本体部材１０（におけるベース部１１）と固定部材２０とで鳥かごＰ１の側面部を挟持した状態で、本体部材１０が鳥かごＰ１に固定されることになる。
【００３５】
止まり木Ｔを鳥かごＰ１から取外す際には、固定部材２０を、その対向面２０ａ内において若干回転させて、第１永久磁石１４と第２永久磁石Ｂ２１との位置関係をずらした状態として（磁力による吸着力を弱めた状態で）、固定部材２０を引き剥がすことにより簡単に行うことができる。
【００３６】
図５は、鳥ケージとしての鳥の搬送用ケースＰ２を示す。この搬送用ケースＰ２は、上方が開口されたボックス状の本体ケース４０と、本体ケース４０の上方開口部を施蓋する蓋部材４１と、を有する。本体ケース４０と蓋部材４１とは、それぞれ、透明あるいは半透明なプラスチックにより形成されている。
【００３７】
止まり木Ｔが、搬送用ケースＰ２の側面部に固定されている。止まり木Ｔは、鳥かごＰ１について使用されるのと同様にして使用される。図５では、止まり木Ｔにおけるベース部１１と固定部材２０とで、本体ケース４０の側面部の低い位置を挟持した状態で固定されている。本体部材１０を本体ケース４０の低い位置で固定しておくことにより、横棒部１３を低い位置に設置可能となる。これにより、本体ケース４０の高さを十分に確保できない場合でも、鳥Ｂを、止まり木Ｔに止まらせた安心かつ安定した状態で、本体ケース４０内に収納しておくことが可能となる。
【００３８】
図４、図５では、鳥ケージ（鳥かごＰ１、搬送ケースＰ２）の側面部（側壁部）に止まり木Ｔを固定する例を示してあるが、鳥ケージの天井壁部や底壁部に固定する等、第１永久磁石１４と第２永久磁石２１との磁力による固定（吸着）が可能な限り、任意の位置に固定することができる。
【００３９】
止まり木Ｔは、鳥ケージに対する着脱が極めて容易であるため、同じ鳥ケージ内での設置位置の変更や、異なる鳥ケージ間での変更（例えば鳥かごＰ１と搬送ケースＰ２との間での変更）も極めて容易である。
【００４０】
ここで、ペット用の鳥Ｂは、慣れ親しんだ止まり木以外の止まり木には容易には止まろうとしない習性を有することが多い。このため、鳥かごＰ１内の鳥Ｂを搬送ケースＰ２で搬送する場合は、あらかじめ、鳥かごＰ１に設置されていることによって慣れ親しんだ止まり木Ｔを、搬送ケースＰ２に移し替えて使用するのが好ましいことになる。これにより、鳥かごＰ１内の鳥Ｂが搬送ケースＰ２内に移動された場合に、鳥Ｂは、鳥かごＰ１から移し替えされた止まり木Ｔに即座に止まることとなり、鳥Ｂを安心かつ安定させた状態で搬送することができる。
【００４１】
図６は、給餌具Ｔ２を示し、図１に示す止まり木Ｔに対する付属品として使用されるようになっている。この給餌具Ｔ２は、本体部５０と、本体部５０の左右側面からそれぞれ２本ずつ棒状に突出された短い保持部５１と、を有する。本体部５０には、その上面に開口するように、餌入れ用の凹部５０ａが形成されている。本体部５０、保持部５１は、自然木によって形成されている。
【００４２】
図１に示すように、本体部５０の大きさは、本体部材１０における２本の縦棒部１２の間に挿入できる大きさとされる。そして、左右の保持部５１を２本の縦棒部１２に引っ掛けることにより、給餌具Ｔ２が、２本の縦棒部１２の間において本体部材１０に保持される。鳥Ｂは、例えば横棒部１３に止まった状態で、給餌具Ｔ２における凹部５０ａ内の餌を食することになる。
【００４３】
図７は、給餌具Ｔ３の別の例を示し、図１に示す止まり木Ｔとは別個独立して鳥ケージに対して着脱自在に固定されるようになっている。すなわち、給餌具Ｔ３は、大別して、本体部材６０（図１における本体部材１０対応）と、本体部材６０とは別体の固定部材７０（図１における固定部材１０対応）と、餌箱８０と、を有する。
【００４４】
本体部材６０は、ベース部６１と、ベース部６１から直立状態で延びる一本の縦棒部６２とを有する。そして、縦棒部６２に対して、紐６３を介して、餌箱８０が吊り下げられるようになっている。
【００４５】
餌箱８０は、それぞれ板状の上板部８１および下板部８２と、上下の板部８１と８２との隅部同士を連結する複数本（実施形態では４本）の棒状の連結部８３と、を有する。
【００４６】
上板部８１と下板部８２との間には、例えばプラスチックにより略球体状に形成された中空の餌箱部８４が保持されている。餌箱部８４は、例えば２つ割り可能とされて、２つ割りとされた状態で内部に餌が導入される。餌箱部８０上面には開口部が形成される一方、上板部８１には、この開口部に臨む貫通孔８１ａが形成されている。鳥Ｂは、貫通孔８１ａを通して、餌箱部８４内の餌を食することになる。
【００４７】
本体部材６０におけるベース部６１は、図１〜図３に示すベース部１１に対応していて、１つの第１永久磁石（図７では図示されない）を保持している。また、固定部材６０は、図１〜図３に示す固定部材２０に対応しており、１つの第２永久磁石（図７では図示されない）を保持している。
【００４８】
本体部材６０は、餌箱８０を吊り下げ保持した状態で鳥ケージ内に配設される。固定部材７０は、鳥ケージの外部に配設される。そして、ベース部６１と固定部材７０とを対向させるように接近させることにより、永久磁石の磁力によってベース部６１と固定部材７０とが一体化されて、本体部材６０が鳥ケージに固定される。本体部材６０に保持される鳥用の備品としては、餌箱８０に限らず、止まり木等適宜のものを選択することができる（例えば、止まり木が紐６３により吊り下げ保持されて、揺れることの可能な止まり木ともなる）。
【００４９】
以上実施形態について説明したが、本考案は実施形態に限定されるものではなく、例えば次のような場合をも含むものである。
（１）止まり木Ｔの大きさや形状等は、収納される鳥の種類や大きさ等に応じて適宜変更できる。また、自然木の枝をベース部１１に固定保持させることによって、止まり木Ｔを構成することもできる。
（２）搬送ケースＰ２の大きさや形状は、搬送される鳥の種類や大きさ等に応じて適宜変更できる。また、搬送ケースＰ２は、不透明としたり、編み目状や格子状の構造として構成することもできる。
（３）鳥用の備品としては、止まり木や給餌具に限らず、従来から鳥に使用されている適宜の備品とすることができる。
（４）第１永久磁石１４と第２永久磁石２１とのうちいずれか一方を、永久磁石以外の磁性部材（例えば鉄板等）によって構成することもできる。
（５）ベース部１１（６１）あるいは固定部材２０（７０）に設ける永久磁石の数は、１個あるいは２個に限らず、３個以上とすることもでき、支承する備品の重量や大きさ等に応じて適宜の数を選択すればよい。
（６）本考案の目的は、明記されたものに限らず、好ましいあるいは実質的に好ましいと表記されたものを提供することを暗黙的に含むものである。
【産業上の利用可能性】
【００５０】
本考案は、鳥ケージ用の備品として好適である。
【符号の説明】
【００５１】
Ｂ：ペット用の鳥（図４）
Ｔ：止まり木
Ｔ２：給餌具（図６）
Ｔ３：給餌具（図７）
Ｐ１：鳥かご（図４）
Ｐ２：搬送ケース（図５）
１０：本体部材
１１：ベース部
１１ａ：対向面
１１ｂ：取付凹部
１２：縦棒部
１３：横棒部
１４：第１永久磁石
２０：固定部材
２０ａ：対向面
２０ｂ：取付凹部
２１：第２永久磁石
６０：本体部材（図７）
６１：ベース部（図７）
６２：縦棒部（図７）
６３：紐（図７）
８０：餌箱（図７）
【図１】
0003217045.tif 000003
【図２】
0003217045.tif 000004
【図３】
0003217045.tif 000005
【図４】
0003217045.tif 000006
【図５】
0003217045.tif 000007
【図６】
0003217045.tif 000008
【図７】
0003217045.tif 000009